(57)【要約】      （修正有）【課題】操作が極めて簡単であり、便利な輸送・通信用の袋体を提供する。【解決手段】書類Ｘを内部に収納する収納部本体１と、該本体に連続し、収納部本体の開口部を閉塞する蓋部２からなる輸送・通信用の袋体において、該蓋部２の縦幅を、収納部本体１の開口部Ａから収納部本体１の底部Ｂ程度まで延長して設け、該蓋部の上部付近と下部付近とに、切り取り線Ｃ、Ｃ′を設け、これら切り取り線が位置する，該蓋部表面２ａには、送り先宛のラベル３を貼着する箇所Ｙを設け、該蓋部裏面２ｂには、前記切り取り線Ｃの手前と、切り取り線Ｃ′の先に、それぞれ剥離紙付き接着テープ４ａ，４ｂを設け、かつ、収納部本体１の表面側１ａには、送り先の表示を印刷５するか、あるいは、返信用の送り先宛のラベルを貼着する箇所Ｚを設けた輸送・通信用の袋体。【選択図】図４
0003129077.tif 000002
【実用新案登録請求の範囲】
【請求項１】
書類（Ｘ）を内部に収納する収納部本体（１）と、該収納部本体（１）に連続し、収納部本体（１）の開口部を閉塞する蓋部（２）からなる輸送・通信用の袋体において、該蓋部（２）の縦幅を、収納部本体（１）の開口部（Ａ）から収納部本体（１）の底部（Ｂ）程度まで延長して設け、該蓋部（２）の上部付近と下部付近とに、切り取り線（Ｃ）、（Ｃ′）を設け、これら切り取り線が位置する、該蓋部表面（２ａ）には、送り先宛のラベル（３）を貼着する箇所（Ｙ）を設け、該蓋部裏面（２ｂ）には、前記切り取り線（Ｃ）の手前と、切り取り線（Ｃ′）の先に、それぞれ剥離紙付き接着テープ（４ａ）（４ｂ）を設け、かつ、収納部本体（１）の表面側（１ａ）には、送り先の表示を印刷（５）するか、あるいは、返信用の送り先宛のラベルを貼着する箇所（Ｚ）を設けたことを特徴とする輸送・通信用の袋体。
【考案の詳細な説明】
【技術分野】
【０００１】
この考案は、輸送・通信用の袋体に関する。
【背景技術】
【０００２】
従来、この輸送・通信用の袋体は、所謂、宅配便・バイク便等にて書類等の搬送物のやり取りをするケースであって、ビジネスパックとも呼ばれているが、この袋体は、相手先から書類が届いたら、内部の書類を取り出した後は、大抵、そのケースは廃棄され、消去されるものであった。
【０００３】
しかしながら、このケースは、結構、丈夫に出来ており、そのまま廃棄・消去にするのはもったいないものであり、また、資源のむだ遣いであもあった。
【０００４】
そのため、この輸送・通信用の袋体を、再度、返信用の袋体として利用することが行われている。しかし、袋体の内部にあらかじめ収納された返信用の蓋体を、一度、外部に取り出して使用する構造のものであり、その取扱いは面倒なものであった。（例えば、特許文献１のように）
【特許文献１】登録第３０００４５２号実用新案公報
【考案の開示】
【考案が解決しようとする課題】
【０００５】
そこでこの考案は、操作が極めて簡単であり、便利な輸送・通信用の袋体を開発・提供することを目的としたものである。
【課題を解決するための手段】
【０００６】
この考案は、書類を内部に収納する収納部本体と、該収納部本体に連続し、収納部本体の開口部を閉塞する蓋部からなる輸送・通信用の袋体において、該蓋部の縦幅を、収納部本体の開口部から収納部本体の底部程度まで延長して形成し、該蓋部の上部付近と下部付近とに、切り取り線を設け、これら切り取り線が位置する、該蓋部表面には、送り先宛のラベルを貼着する箇所を設け、該蓋部裏面には、前記切り取り線の手前と、切り取り線の先に、それぞれ剥離紙付き接着テープを設け、かつ、収納部本体の表面側には、送り先の表示を印刷するか、あるいは、返信用の送り先宛のラベルを貼着する箇所を設けた輸送・通信用の袋体である。
【考案の効果】
【０００７】
この考案によると、送付された輸送・通信用の袋体を送り先宛のラベルを貼着する箇所（Ｙ）を切り取り線に従って破り取り、内部の書類（Ｘ）を取り出し、次に、返信あるいは他に送付する場合には、破り捨てた送り先宛のラベルの箇所に、収納部本体に形成した返信用の送り先宛のラベルを貼着する箇所（Ｚ）が現れ、該箇所に記載して、残余の蓋部の接着テープの剥離紙を剥がし、蓋部を収納部本体に貼り付ければ、極めて簡単に処理することができる等極めて有益なる効果を奏する。
【考案を実施するための最良の形態】
【０００８】
以下、この考案の一実施例を図面に従って説明すると、書類（Ｘ）を内部に収納する収納部本体（１）と、該収納部本体（１）に連続し、収納部本体（１）の開口部を閉塞する蓋部（２）からなる輸送・通信用の袋体において、該蓋部（２）の縦幅を、収納部本体（１）の開口部（Ａ）から収納部本体（１）の底部（Ｂ）程度まで延長して設け、該蓋部（２）の上部付近と下部付近とに、切り取り線（Ｃ）、（Ｃ′）を設け、これら切り取り部が位置する、該蓋部表面（２ａ）には、送り先宛のラベル（３）を貼着する箇所（Ｙ）を設け、該蓋部裏面（２ｂ）には、前記切り取り線（Ｃ）の手前と、切り取り線（Ｃ′）の先に、それぞれ剥離紙付き接着テープ（４ａ）（４ｂ）を設け、かつ、収納部本体（１）の表面側（１ａ）には、送り先の表示を印刷（５）するか、あるいは、返信用の送り先宛のラベルを貼着する箇所（Ｚ）を設けたことを特徴とする輸送・通信用の袋体である。
【実施例】
【０００９】
以下、この考案の輸送・通信用の袋体の一実施例を図１及び図２に従って説明すると、書類（Ｘ）を内部に収納する収納部本体（１）は、矩形の本体裏面側（１ｂ）と本体表面側（１ａ）とを山折りにして折り畳み、この折り畳まれた本体表面側（１ａ）に、本体裏面側（１ｂ）と連続して設けられた両側面部（１ｃ）、（１ｃ′）を山折りして折り畳みにより接着してなり、かつ、収納部本体（１）の表面側（１ａ）には、送り先の表示を印刷（５）するか、あるいは、返信用の送り先宛のラベルを貼着する箇所（Ｚ）を設けたものである。
【００１０】
次に、蓋部（２）は、収納部本体（１）の開口部（Ａ）から収納部本体（１）の底部（Ｂ）程度まで延長した大きさに設け、該蓋部（２）の上部付近と下部付近とに、切り取り線（Ｃ）、（Ｃ′）を設け、これら切り取り線が位置する、該蓋部表面（２ａ）には、送り先宛のラベル（３）を貼着する箇所（Ｙ）を設け、該蓋部裏面（２ｂ）には、前記切り取り線（Ｃ）の手前と、切り取り線（Ｃ′）の先に、それぞれ剥離紙付き接着テープ（４ａ）（４ｂ）を設けたものである。
【００１１】
この考案の輸送・通信用の袋体の使用に当たっては、先ず、郵送時には、収納部本体（１）の矩形の本体裏面側（１ｂ）と本体表面側（１ａ）とを、底部（Ｂ）となる折り曲げ線（α）で山折りに折り畳み、本体裏面側（１ｂ）の両側に設けた両側面部（１ｃ）、（１ｃ′）をそれぞれ両面テープ（４ｃ）（４ｄ）で貼ることにより、三方を閉塞された内部袋体内部に、開口部（Ａ）より、書類（Ｘ）を挿入し、蓋部（２）を折り曲げ線（β）で山折りし、接着テープ（４ｂ）で貼着して輸送・通信するものである。
【００１２】
そして、輸送・通信を受けた側は、返送時に、収納部本体（１）の蓋部（２）の切り取り線（Ｃ）（Ｃ′）を用いて送り先宛のラベル（３）を貼着する箇所（Ｙ）を、破り取り、収納部本体（１）の本体表面側（１ａ）に表れた送り先の表示を印刷（５）するか、あるいは、返信用の送り先宛のラベルを貼着する箇所（Ｚ）を使用して、返信用に使用する。  また、他の宛て先に送る場合にも、蓋部（２）の接着テープ（４ａ）で貼着して使用するものである。
【産業上の利用可能性】
【００１３】
この考案の輸送・通信用の袋体の技術を確立し、製造・販売することにより、産業上の利用に寄与することができる。
【図面の簡単な説明】
【００１４】
【図１】この考案の一実施例を示す正面図である。
【図２】この考案の一実施例を示す正面図である。
【図３】この考案の一実施例を示す展開図である。
【図４】この考案の使用状態を示す説明図であり、（ａ）は、閉じる状態を示す斜視図であり、（ｂ）は、閉じた状態の斜視図である。
【符号の説明】
【００１５】
１  収納部本体
１ａ  本体表面側
１ｂ  本体裏面側
１ｃ、１ｃ′両側面部
２  蓋部
２ａ  蓋部表面
２ｂ  蓋部裏面
３  送り先宛のラベル
４ａ、４ｂ  剥離紙付き接着テープ
５  送り先の表示を印刷
α  折り曲げ線
β  折り曲げ線
Ａ  開口部
Ｂ  底部
Ｃ、Ｃ′  切り取り線
Ｘ  書類
Ｙ  送り先宛のラベルを貼着する箇所
Ｚ  返信用の送り先宛のラベルを貼着する箇所
【図１】
0003129077.tif 000003
【図２】
0003129077.tif 000004
【図３】
0003129077.tif 000005
【図４】
0003129077.tif 000006